(57)【要約】【課題】任意的に支持体上に塗布された化粧品又は皮膚用物質の光拡散能力及び（又は）光吸収能力を測定する方法を提供する。【解決手段】本発明の方法は、ａ）物質（Ｐ）及び（又は）物質が塗布された支持体のゾーンを後方散乱スポットを形成するように入射光ビーム（２０）で照明する段階と、ｂ）スポットの像を得る段階と、ｃ）この像をスポットの種々の箇所相互間の輝度のばらつきの関数として分析して、物質の存在下における物質及び（又は）支持体の光拡散能力及び（又は）光吸収能力を表す少なくとも１つの情報項目を求める段階とを有している。【選択図】      図１
2004163405.tif 000002
【特許請求の範囲】
【請求項１】
任意的に支持体に塗布された化粧品又は皮膚用物質の光拡散能力及び（又は）光吸収能力を測定する方法であって、
ａ）物質（Ｐ）及び（又は）物質が塗布された支持体（Ｓ）のゾーンを後方散乱スポットを形成するように入射光ビーム（２０）で照明する段階と、
ｂ）スポットの像を得る段階と、
ｃ）前記像をスポットの種々の箇所相互間の輝度のばらつきの関数として分析して、物質の存在下における物質及び（又は）支持体の光拡散能力及び（又は）光吸収能力を表す少なくとも１つの情報項目を求める段階とを有していることを特徴とする方法。
【請求項２】
換算拡散係数μ′ｓは、スポットの種々の箇所、特に、スポットの中心から種々の距離のところに位置した箇所の輝度のばらつきの関数として測定されることを特徴とする請求項１記載の方法。
【請求項３】
吸収係数μａは、スポットの種々の箇所、特に、スポットの中心から種々の距離のところに位置した箇所の輝度のばらつきの関数として測定されることを特徴とする請求項１又は２記載の方法。
【請求項４】
支持体は、ケラチン繊維及び（又は）細胞から成ることを特徴とする請求項１〜３のうちいずれか一に記載の方法。
【請求項５】
支持体は、不活性であることを特徴とする請求項１〜４のうちいずれか一に記載の方法。
【請求項６】
支持体は、凸凹を呈していることを特徴とする請求項１〜５のうちいずれか一に記載の方法。
【請求項７】
入射光ビームによって照明された表面は、実質的に平面であることを特徴とする請求項１〜５のうちいずれか一に記載の方法。
【請求項８】
物質は、０．５ｃｍ２〜５ｃｍ２、特に１ｃｍ２〜２ｃｍ２の面積で支持体に塗布されることを特徴とする請求項１〜７のうちいずれか一に記載の方法。
【請求項９】
入射光ビームは、白色光のビームであることを特徴とする請求項１〜８のうちいずれか一に記載の方法。
【請求項１０】
入射光ビームは、単色光、特に、赤色又は青色のビームであることを特徴とする請求項１〜８のうちいずれか一に記載の方法。
【請求項１１】
入射光ビームの強度は、その断面全体にわたって実質的に一定であることを特徴とする請求項１〜１０のうちいずれか一に記載の方法。
【請求項１２】
入射光ビームは、光源によって得られ、空間フィルタが、光源と物質との間に配置されていることを特徴とする請求項１１記載の方法。
【請求項１３】
物質の表面の法線に対する入射光ビームの入射角は、５°〜２５°、特に、１０°〜２０°であることを特徴とする請求項１〜１２のうちいずれか一に記載の方法。
【請求項１４】
鏡（３３）が、入射光ビームの経路上に置かれていることを特徴とする請求項１〜１３のうちいずれか一に記載の方法。
【請求項１５】
前記像は、カメラ（４０）、特に、単色ＣＣＤカメラによって得られることを特徴とする請求項１〜１４のうちいずれか一に記載の方法。
【請求項１６】
前記得た像は、分析のために特にインターネットで処理センタ（５４）に伝送されることを特徴とする請求項１〜１５のうちいずれか一に記載の方法。
【請求項１７】
前記像は、可変倍率の光学系によって得られることを特徴とする請求項１〜１６のうちいずれか一に記載の方法。
【請求項１８】
入射光ビームは、光源によって得られ、偏光子が、光源と物質との間で入射光ビームの経路上に置かれていることを特徴とする請求項１〜１７のうちいずれか一に記載の方法。
【請求項１９】
前記像は、検光子によって得られることを特徴とする請求項１８記載の方法。
【請求項２０】
前記像は、干渉光の不存在下で得られることを特徴とする請求項１〜１９のうちいずれか一に記載の方法。
【請求項２１】
入射光ビームは、変調され、像の獲得は、同期して行なわれることを特徴とする請求項１〜２０のうちいずれか一に記載の方法。
【請求項２２】
物質は、７μｍ〜２０μｍの厚さ、特に、実質的に一定の厚さで支持体に塗布されることを特徴とする請求項１〜２１のうちいずれか一に記載の方法。
【請求項２３】
物質は、均質の組成のものであることを特徴とする請求項１〜２２のうちいずれか一に記載の方法。
【請求項２４】
物質は、支持体の物理化学的性質を変えるのに適していることを特徴とする請求項１〜２３のうちいずれか一に記載の方法。
【請求項２５】
物質は、ファンデーションメーキャップ、日焼け止め、脱色クリーム、しわ防止又はしわ取りクリーム、保湿剤から選択されることを特徴とする請求項１〜２４のうちいずれか一に記載の方法。
【請求項２６】
化粧品又は皮膚用物質の特性を決定する方法であって、ａ）皮膚及び（又は）ケラチン繊維に塗布された物質及びｂ）物質の不存在下における皮膚及び（又は）ケラチン繊維によってそれぞれ構成された２つの表面の光拡散能力及び（又は）光吸収能力を、各表面について少なくとも次の段階、即ち、
ｉ）問題の表面のゾーンを後方散乱スポットを形成するように入射光ビームで照明する段階、
ｉｉ）スポットの像を得る段階、及び
ｉｉｉ）前記像をスポットの種々の箇所相互間の輝度のばらつきの関数として分析して、前記物質、皮膚及び（又は）ケラチン繊維の光拡散能力及び（又は）光吸収能力を表す少なくとも１つの情報項目を求める段階を実施することにより測定する段階と、物質の少なくとも１つの性質を、物質が塗布された場合と物質が塗布されていない場合の皮膚及び（又は）ケラチン繊維について得られた情報の関数として決定する段階とを有していることを特徴とする方法。
【請求項２７】
化粧品又は皮膚用物質の特性が時間の経過につれてどのように変化するかを確かめる方法であって、
ａ）物質（Ｐ）を支持体（Ｓ）に塗布する段階と、
ｂ）物質が塗布された支持体（Ｓ）のゾーンを後方散乱スポットを形成するように入射光ビームで照明する段階と、
ｃ）スポットの第１の像を得る段階と、
ｄ）第１の像をスポットの種々の箇所相互間の輝度のばらつきの関数として分析して、最初の時点で、物質の光拡散能力及び（又は）光吸収能力を表す少なくとも１つの情報項目を求める段階と、
ｅ）スポットの第２の像を次の時点で得る段階と、
ｆ）第２の像をスポットの種々の箇所相互間の輝度のばらつきの関数として分析して、前記次の時点で、物質の光拡散能力及び（又は）光吸収能力を表す少なくとも１つの情報項目を求める段階と、
ｇ）物質の特性が段階ｄ）及び段階ｆ）で得られた情報の関数として経時的にどのように変化するかを確かめる段階とを有することを特徴とする方法。
【請求項２８】
段階ｄ）と段階ｅ）との間に、物質及び（又は）支持体に作用、特に、洗浄作用或いは風又はＵＶ放射線への暴露を施し、或いは、物質が移着される要素と接触させる段階を有していることを特徴とする請求項２７記載の方法。
【請求項２９】
決定される物質の特性は、その被覆性能であることを特徴とする請求項２７又は２８記載の方法。
【請求項３０】
物質は、日焼け止めであり、確かめられる特性は、時間の関数として物質によって与えられる保護の有効性であることを特徴とする請求項２７又は２８記載の方法。
【請求項３１】
物質は、脱色クリームであり、決定される特性は、その有効性であることを特徴とする請求項２７又は２８記載の方法。
【請求項３２】
化粧品を処方する方法であって、
ａ）皮膚のゾーンを入射光ビームを照明して後方散乱スポットを形成する段階と、
ｂ）スポットの像を得る段階と、
ｃ）前記像をスポットの種々の箇所相互間の輝度のばらつきの関数として分析して、皮膚の光拡散能力及び（又は）光吸収能力を表す少なくとも１つの情報項目を求める段階と、
ｄ）少なくとも前記情報項目の関数として、化粧品、特に、皮膚についてあらかじめ決定された能力に近い光拡散能力及び（又は）光吸収能力を持つ物質を処方する段階とを有することを特徴とする方法。
【請求項３３】
化粧品又は皮膚用物質の光拡散能力及び（又は）光吸収能力を測定する装置であって、物質又は物質（Ｐ）が塗布された支持体（Ｓ）上に光スポットを形成できる光ビーム（２０）を送り出すのに適した源（３１）と、スポットの少なくとも１つの像を得ることができるようにするカメラ、特に、単色ＣＣＤカメラと、前記像をスポットの種々の箇所、特に、スポットの中心から種々の距離を置いて位置した箇所での輝度のばらつきの関数として分析して、物質の光拡散能力及び（又は）光吸収能力を表わす少なくとも１つの情報項目を求めるための検光子装置（５０）とを有していることを特徴とする装置。
【請求項３４】
光源は、レーザから成ることを特徴とする請求項３３記載の装置。
【請求項３５】
光ビームを通過させる空間フィルタ（３２）を有していることを特徴とする請求項３３又は３４記載の装置。
【請求項３６】
光ビームの経路上に置かれた鏡（３３）を有していることを特徴とする請求項３３〜３５のうちいずれか一に記載の装置。
【請求項３７】
検光子装置（５０）は、ネットワーク、特に、インターネットを介してカメラの像を受け取るよう構成されていることを特徴とする請求項３３〜３６のうちいずれか一に記載の装置。
【請求項３８】
化粧品又は皮膚用物質を調製する方法であって、
ａ）皮膚のゾーンを入射光ビームを照明して後方散乱スポットを形成する段階と、
ｂ）スポットの像を得る段階と、
ｃ）前記像をスポットの種々の箇所相互間の輝度のばらつきの関数として分析して、皮膚の光拡散能力及び（又は）光吸収能力を表す少なくとも１つの情報項目を求める段階と、
ｄ）少なくとも前記情報の関数として、特に皮膚についてあらかじめ決定された能力に近い光拡散能力及び（又は）光吸収能力を持つ化粧品又は皮膚用物質を調製する段階とを有していることを特徴とする方法。
【発明の詳細な説明】
【技術分野】
【０００１】
本発明は、化粧品が塗布された表面、特に、皮膚及び（又は）ケラチン繊維の光学的挙動の特性を量定する方法及びこの方法を実施する装置に関する。
【背景技術】
【０００２】
化粧品という用語は、ＥＣＣ指令７６／７６８（１９９３年６月１４日付け指令９３／３５により補正）に定義されているように任意の物質を覆うのに用いられるものである。
１９９９年７月１日付けでジャーナル『応用光学』で発表されたゴビン氏等の論文“Ｉｎｔｅｇｒａｔｉｎｇ  ｔｈｅ  ｄｉｇｉｔｉｚｅｄ  ｂａｃｋ−ｓｃａｔｔｅｒｅｄ  ｉｍａｇｅ  ｔｏ  ｍｅａｓｕｒｅ  ａｂｓｏｒｐｔｉｏｎ  ｏｆ  ｒｅｄｕｃｅｄ−ｓｃａｔｔｅｒｉｎｇ  ｃｏｅｆｆｉｃｉｅｎｔｓ  ｉｎ  ｖｉｖｏ  ”は、実験室において露出した皮膚に対して実施された拡散係数及び吸収係数の測定法を記載している。
【考案の開示】
【課題を解決するための手段】
【０００３】
本発明は、その特徴のうちの１つとして、任意的に支持体に塗布された化粧品又は皮膚用物質の光拡散能力及び（又は）光吸収能力を測定する方法であって、ａ）物質及び（又は）物質が塗布された支持体のゾーンを後方散乱スポットを形成するように入射光ビームで照明する段階と、ｂ）スポットの像を得る段階と、ｃ）前記像をスポットの種々の箇所相互間の輝度（明るさ）のばらつきの関数として分析して、物質の存在下における物質及び（又は）支持体の光拡散能力及び（又は）光吸収能力を表す少なくとも１つの情報項目を求める段階とを有していることを特徴とする方法を提供する。
【０００４】
この方法では、人体又は動物の体の治療が除外される。
一例を挙げると、入射光ビームによって照明される物質は、例えば受け具内に収容された比較的ぶ厚い物質を形成するのがよい。これは又、支持体の表面上に層を形成してもよく、かかる層は、比較的薄手のものであってもよい。物質は又、支持体によって吸収されてもよい。
かくして、本発明の具体的構成例では、換算拡散係数μ′ｓを測定することは、スポットの種々の箇所、特に、スポットの中心から種々の距離を置いて位置した箇所の輝度のばらつきの関数として可能である。変形例として、又は追加例として、吸収係数μａを測定することも可能である。
【０００５】
支持体は、ケラチン細胞及び（又は）繊維から成るのがよい。支持体は、不活性であってもよく、或いは、生体であってもよい。
入射光ビームによって照明される表面は、実質的に平らであるのがよく、或いは、凸凹を呈していてもよい。
物質は、例えば、０．５平方センチメートル（ｃｍ２）〜５ｃｍ２、特に１ｃｍ２〜２ｃｍ２の面積に及ぶよう支持体に塗布されるのがよい。
入射光ビームは、白色光のビームであるのがよく、或いは変形例として、単色光、特に、可視光、例えば赤色又は青色のビームであってよい。その波長は、例えば、支持体の性状及び（又は）測定される光学的性質の関数として選択できる。光ビームは、コヒーレント光のビームであってよい。
【０００６】
光ビームの断面は、４マイクロメートル（μｍ）以下であるのがよく、好ましくは、２μｍ未満である。
入射光ビームの強度は好ましくは、その断面全体にわたって実質的に一定である。入射光ビームは光源により得られるので、空間フィルタを光源と物質との間に配置するのがよい。
物質の表面の法線に対する入射光ビームの入射角は、５°〜２５°、特に、１０°〜２０°であるのがよい。
必要に応じて、鏡を入射光ビームの経路上に配置するのがよい。
有利には、生体内測定の場合には鏡を用いない器具を用いるのがよい。
【０００７】
像は、種々の方法で、例えば、カメラにより、特に、単色電荷結合素子（ＣＣＤ）カメラによって得ることができる。
データ処理を現地で行なうのがよいが、変形例として得た画像を遠隔に、特に、インターネットを介して分析目的の処理センタに伝送することができる。
像を可変倍率の光学系によって得ることができる。これにより、像を拡大して像が最もよい解像度を得るよう検出領域の大部分を占めるようにすることができる。
偏光子を光源と物質との間で入射光ビームの経路上に置くのがよく、像を物質とカメラとの間に配置された検光子を介して得ることができる。
【０００８】
スポットを、干渉光の不存在下で観察するのがよいが、入射光ビームを変調し、像を同期して得るのがよく、かくして、干渉光の存在下でも測定値を得ることができる。
物質を例えば７μｍ〜２０μｍの厚さ、特に、実質的に一定の厚さで支持体に塗布するのがよい。
物質は、均質の組成のものであるのがよい。
一例を挙げると、物質は、ファンデーションメーキャップ、日焼け止め、脱色クリーム、しわ防止又はしわ取りクリーム、保湿剤から選択される。
物質は、例えば脱色クリームの場合のように、物質が塗布される支持体の物理化学的性質を変えるのに適しているのがよい。
【０００９】
本発明は、別の特徴として、化粧品又は皮膚用物質の特性を決定する方法であって、ａ）皮膚及び（又は）ケラチン繊維に塗布された物質及びｂ）物質の不存在下における皮膚及び（又は）ケラチン繊維によってそれぞれ構成された２つの表面の光拡散能力及び（又は）光吸収能力を、各表面について少なくとも次の段階、即ち、ｉ）問題の表面のゾーンを後方散乱スポットを形成するように入射光ビームで照明する段階、ｉｉ）スポットの像を得る段階、及びｉｉｉ）前記像をスポットの種々の箇所相互間の輝度のばらつきの関数として分析して、前記物質、皮膚及び（又は）ケラチン繊維の光拡散能力及び（又は）光吸収能力を表す少なくとも１つの情報項目を求める段階を実施することにより測定する段階と、物質の少なくとも１つの性質を、物質が塗布された場合と物質が塗布されていない場合の皮膚及び（又は）ケラチン繊維について得られた情報の関数として決定する段階とを有していることを特徴とする方法を提供する。
【００１０】
この方法では、人体又は動物の体の治療が除外される。
このようにして測定される物質の特性は、その被覆能力又はその定着力であるのがよい。
物質が日焼け止めである場合、確かめられる特性は、物質によって与えられる保護の有効性である。
物質が脱色クリームである場合、決定される特性は、その有効性である。
【００１１】
本発明は、別の特徴として、化粧品又は皮膚用物質の特性が時間の経過につれてどのように変化するかを確かめる方法であって、ａ）物質（Ｐ）を支持体（Ｓ）に塗布する段階と、ｂ）物質が塗布された支持体（Ｓ）のゾーンを後方散乱スポットを形成するように入射光ビームで照明する段階と、ｃ）スポットの第１の像を得る段階と、ｄ）第１の像をスポットの種々の箇所相互間の輝度のばらつきの関数として分析して、最初の時点で、物質の光拡散能力及び（又は）光吸収能力を表す少なくとも１つの情報項目を求める段階と、ｅ）スポットの第２の像を次の時点で得る段階と、ｆ）第２の像をスポットの種々の箇所相互間の輝度のばらつきの関数として分析して、前記次の時点で、物質の光拡散能力及び（又は）光吸収能力を表す少なくとも１つの情報項目を求める段階と、ｇ）物質の特性が段階ｄ）及び段階ｆ）で得られた情報の関数として経時的にどのように変化するかを確かめる段階とを有することを特徴とする方法を提供する。
【００１２】
この方法では、人体又は動物の体の治療が除外される。
本発明の具体的構成例では、この方法は、段階ｄ）と段階ｅ）との間に、物質及び（又は）支持体に作用、特に、洗浄作用或いは風又はＵＶ放射線への暴露を施し、或いは、物質が移着される要素と接触させる段階を有する。
一例を挙げると、この作用は、支持体の洗浄である。これにより、例えば、日焼け止め又はメーキャップの水に耐える能力を測定することができる。他の幾つかの作用、例えば、風又は紫外線への暴露、或いは、メーキャップが移着される要素との接触を行なうことができる。
【００１３】
本発明は別の特徴として、化粧品を処方し又は調製する方法であって、ａ）皮膚のゾーンを入射光ビームを照明して後方散乱スポットを形成する段階と、ｂ）スポットの像を得る段階と、ｃ）前記像をスポットの種々の箇所相互間の輝度のばらつきの関数として分析して、皮膚の光拡散能力及び（又は）光吸収能力を表す少なくとも１つの情報項目を求める段階と、ｄ）少なくとも前記情報項目の関数として、化粧品、特に、皮膚についてあらかじめ決定された能力に近い光拡散能力及び（又は）光吸収能力を持つ物質を処方する段階とを有することを特徴とする方法を提供する。
このように調製され又は処方される化粧品は、例えば、皮膚の欠陥を覆い隠すためであると共に、自然なメーキャップを達成することを目的としている。
【００１４】
本発明は又、化粧品又は皮膚用物質の光拡散能力及び（又は）光吸収能力を測定する装置であって、物質又は物質（Ｐ）が塗布された支持体（Ｓ）上に光スポットを形成できる光ビームを送り出すのに適した源と、スポットの少なくとも１つの像を得ることができるようにするカメラ、特に、単色ＣＣＤカメラと、前記像をスポットの種々の箇所、特に、スポットの中心から種々の距離を置いて位置した箇所での輝度のばらつきの関数として分析して、物質の光拡散能力及び（又は）光吸収能力を表わす少なくとも１つの情報項目を求めるための検光子装置とを有していることを特徴とする装置を提供する。
光源は、レーザであるのがよい。
【００１５】
この装置は、光ビームを通過させる空間フィルタを有するのがよく、必要に応じ、光ビームの経路上に置かれた鏡を有するのがよい。
光源は、少なくとも２つの互いに異なる波長で任意的に同時に放出することができる。
検光子装置は、ネットワーク、特に、インターネットを介してカメラの像を受け取るよう構成されたものであるのがよい。
本発明は、添付の図面を参照して非限定的な以下の具体的な構成例についての詳細な説明を読むと一層よく理解できよう。
【発明を実施するための最良の形態】
【００１６】
本発明は、その特徴のうちの１つとして、化粧品が塗布された表面を観察することにより、少なくとも１つの換算拡散係数μ′ｓ及び（又は）少なくとも１つの光吸収係数μａを測定するのに役立つ。
換算拡散係数μ′ｓは、表面又は媒体によって多数の方向に偏向したビーム（この場合、これを構成する単色光線の周波数を変化させないで）の空間分布の変化を表わしている。
【００１７】
吸収係数μａは、材料を通過した際のビームの強度の減少を表わしており、その輻射エネルギは、他の或る形態のエネルギに変換されている。
図１は、化粧品Ｐの光拡散能力及び（又は）光吸収能力を表わす値を測定する装置１０を示している。物質である化粧品Ｐは、支持体Ｓに塗布されており、かかる支持体は、例えば、不活性支持体、人間の皮膚又はケラチン繊維によって構成されたものであるのがよいが、これらには限定されない。
図示の例では物質Ｐは、１０μｍ〜１５μｍの厚さで支持体Ｓに塗布されている。
物質Ｐで被覆された支持体Ｓのゾーンは、後方散乱スポットを形成するために入射光ビーム２０で照明される。
【００１８】
図示の例では、光ビーム２０は、単色であり、レーザ３１によって送り出される。
図示の例では、レーザにより得られる波長は、約６３５ナノメートル（ｎｍ）であるが、入射光ビームを他の或るタイプの源によって得ること及び異なる波長、例えば、スペクトルの青色領域又はＵＶ領域の波長を生じさせることは本発明の範囲から逸脱しない。一例を挙げると、ヘリウムネオン（ＨｅＮｅ）レーザ１以上の発光ダイオード（ＬＥＤ）又は白色光源を光源として用いてもよい。
光ビーム２０は、ビームの光の強さの均一な分布を得るのに役立つ空間フィルタ３２を通過する。
【００１９】
今説明している例では、物質Ｐが塗布された支持体Ｓは、水平に配置され、レーザ３１は、水平に対して僅かな角度をなして傾斜している。支持体Ｓを法線に対し僅かな角度をなして傾斜した光ビームで照明するため、鏡３３が、入射光ビーム２０の経路上に置かれており、この鏡は、垂直に対し約４５°の角度で傾斜している。入射光ビームの向きは、場合によっては、構造体３４に対する鏡３３の勾配を変えることにより変えることができる。
カメラ４０が、鏡３３による反射後に光ビームによって作られるスポットのディジタル像を得るために用いられ、かかる像の一例が、図２に示されている。この例では、化粧品は、ファンデーションメーキャップである。
【００２０】
図３は、化粧品を塗布する前に皮膚上に作られたスポットのディジタル像の例を示している。
かかる例では、カメラは、解像度が４９０×６６０画素の単色ＣＣＤカメラであるが、これとは異なる解像度を有するカメラ、場合によってはカラーカメラを用いることは本発明の範囲から逸脱しない。
カメラは、案内４２に沿って支持体Ｓに平行に動くことができる架台４１に固定されており、かくして、そのレンジと支持体Ｓとの間の距離を調節することができる。
支持体Ｓに塗布された物質Ｐを短波長の光ビームで照明した場合、後方散乱スポットは、吸収性が高いので比較的小さい。
【００２１】
かかる状況下においては、レンズとサンプルとの間の距離を短くすることにより像を拡大するのがよい。
変形例として、カメラは、可変倍率をもたらすレンズを備えるのがよく、それにより、後方散乱スポットのサイズを光電性領域のサイズに一致させることができる。
カメラによってピックアップされた情報は、ケーブル５１によってコンピュータ５０に伝送される。
【００２２】
コンピュータ５０は、ディジタル像の各画素の輝度に基づいて物質の光拡散能力及び（又は）光吸収能力を表わす値を計算するよう構成されている。かくして、コンピュータ５０は、吸収係数及び拡散係数を計算するようプログラムされたものであるのがよい。
【００２３】
反射率Ｒ（ｒ，ψ）、即ち、反射光の強度と入射光の強度の比を、スポットの中心を原点とする円柱座標の関数として計算することができる。Ｒ（ｒ，ψ）をψの関数として積分すると、関数
2004163405.tif 000003
が得られる。
【数式１】
2004163405.tif 000004
図４は、半径ｒの関数として積分されたスポットの反射率
2004163405.tif 000005
の値を示している。
【数式２】
2004163405.tif 000006
半径の関数は、拡散係数及び吸収係数に接近できる定数を有するものとして得られる。
【数式３】
2004163405.tif 000007
この場合、
【数式４】
2004163405.tif 000008
上式において、ａ１，ａ２，ｂ１，ｂ２は、屈折率ｎだけで決まる。
ファンデーションメーキャップを塗布した後に得られた図２のスポットに相当する曲線２の場合、以下の値、即ち、μａ＝２．８２ｃｍ−１、μ′ｓ＝９４．７２ｃｍ−１が得られ、物質を塗布する前に得られた図３のスポットに相当する曲線３の場合、以下の値、即ち、μａ＝１．１１ｃｍ−１、μ′ｓ＝２８．７７ｃｍ−１が得られる。
【００２４】
熱によるノイズの大部分を統計学的に除くために、スポットの像を黒色像から差し引くのがよい。
少なくとも１つの偏光子を光源と化粧品との間で入射光ビームの経路上に且つ（或いは）化粧品とカメラとの間で後方散乱光の経路上に置くことは本発明の範囲から逸脱しない。
一例を挙げると、図５は、入射光ビームを水平方向に偏光すると共に後方散乱光ビームを先ず最初に水平方向に及び（又は）第２に垂直方向に偏光することにより得られた像相互間の差を取ることによって結果的に得られた正規化像を示している。
【００２５】
この操作により、２つの追加の光学的パラメータ即ち、異方性係数ｇ及び純粋拡散係数μｓを計算することができる。
この目的のため３つの像、即ち、偏光のない第１の像、入射光と後方散乱光の両方が水平方向に偏光された第２の像、及び入射光を水平方向に偏光し、後方散乱光を垂直方向に偏光させて得られた第３の像が得られる。
第１の像により、上述したように吸収係数μａ及び換算拡散係数μ′ｓを計算することができ、他の２つの像により、異方性係数ｇ及び純粋拡散係数μｓをμ′ｓの計算により計算することができる。後方散乱スポットの像を得る携帯可能な装置を用いることは本発明の範囲から逸脱しない。
【００２６】
一例を挙げると、図６は、ユニット６１内に配置された光源及び例えばウェブカム（ｗｅｂｃａｍ）タイプのカメラを有する携帯可能な装置６０を示している。ユニット６１は、開口部６２を有し光源から来た光ビーム２０は、この開口部６２を通って出て行き、又、像は、カメラによりこの開口部を介して得られる。
カメラによってピックアップされたデータを、コンピュータ５３によりネットワーク５２、特にインターネットを介して処理センタ５４に伝送することができ、この処理センタはデータベース５５に接続されていて、伝達された情報を処理し、換算拡散係数及び吸収係数を計算するよう構成されている。
【００２７】
処理センタ５４は又、伝送されたデータに応答して診断を行ない、適当な化粧品又はケア製品を推奨すると共にアドバイスを与えるよう実施される計算を行なうようプログラムされたものであるのがよい。
処理センタ５４は又、例えば種々の化粧品の光拡散能力及び（又は）光吸収能力を表わす特性を含むデータバンクを構成するために種々のデータを集めることができるよう構成されたものであるのがよい。
携帯可能な装置６０は、例えば、美容院又は店頭にあるのがよく、又、特にクライアントの皮膚の性状及び（又は）ケラチン繊維の関数として個人用化粧品及び（又は）ケア製品を提供する目的に使えるのがよい。
光学的性質が測定される物質は、例えば、ファンデーションメーキャップであるのがよい。
【００２８】
かかる状況下においては、先ず最初に、何も付いていない剥き出しの皮膚の換算拡散係数及び吸収係数を計算するのがよい。しかる後、ファンデーションメーキャップを皮膚に塗布し、換算拡散係数及び吸収係数をファンデーション層が被着された皮膚上で測定する。ファンデーションを皮膚に塗布する前後で得られた値を比較することにより、ファンデーションの被覆能力を評価することができる。
また、これと同様な仕方で操作を進めることによりファンデーションと皮膚との適合性の特徴づけることもできる。ファンデーションの塗布前後における皮膚の換算拡散係数及び吸収係数を計算し、これら値を比較することにより、自然なメーキャップを達成する上でのファンデーションの能力に関する情報が得られる。
【００２９】
また、本発明により、皮膚、又はケラチン繊維の特定のタイプにマッチした物質を推奨することができる。
これを行なうため、データバンク５５は、或る範囲の物質の光拡散及び（又は）光吸収についての特性値をもっているのがよい。しかる後、特定の個人について、例えば、装置６０を用いることにより、その人の皮膚及び（又は）ケラチン繊維の光吸収及び（又は）光拡散の特徴を示す値を求めることができる。これら値をデータバンク５５に記憶されている値と比較するのがよく、そして、処理センタ５４は、どの物質がその人にとって最適であるかを判定すると共にこの結果をネットワーク５２を介してコンピュータ５３に送るよう構成されたものであるのがよい。
【００３０】
別の具体的構成例では、先ず最初に、物質を支持体に塗布し、次に、第１の（最初の）時点で第１の像を取り、そして第１の時点について換算拡散係数及び（又は）吸収係数を計算することができる。しかる後、第２の（次の）時点で、例えば、約１時間の時間間隔だけ第１の像から離れた第２の像を取り、そして、物質の換算拡散係数及び吸収係数を第２の時点について計算する。評価段階の際、これらの値を比較することにより、光吸収特性値及び光拡散特性値が経時的にどのように変化するかを求めることができる。
【００３１】
これにより、例えば、化粧品の持続性を計測することができる。
第１の測定と第２の測定の間で、或る作用、例えば、物質を取り除こうとする行為又は作用を行なうことができる。これは、例えば、皮膚に塗布された日焼け止めによって構成でき、上述の行為は、洗浄であるのがよい。かくして、例えば日焼け止めの水に対する強さを測定することができる。
行なわれる行為又は作用は、物質及び（又は）支持体、特に、皮膚の物理的及び（又は）化学的性質を変えるのに役立つ作用であってもよい。かくして、例えば、物質と相互作用できる表皮の反応を考慮することにより、ＵＶ放射線への暴露中、日焼け止めにより得られる保護の有効性を特徴づけることができる。
【００３２】
物質は、脱色クリームであってもよい。この場合、脱色クリームを皮膚に塗布した後における経時的な皮膚の色素の変化を測定し、その有効性を特徴づけることができる。
物質は、しわ取り又はしわ防止クリーム又は保湿剤であってもよい。本発明により、物質の調合の研究開発中、不活性支持体、皮膚又はケラチン繊維に塗布された物質の拡散及び吸収についての特性値を量定することができる。その目的は、或る特定の成分を添加した場合の影響を測定し、必要に応じ、形成をそれに応じて変えることができるようにすることにある。
当然のことながら、本発明は、上述の例には限定されない。
【００３３】
かくして、換算拡散係数μ′ｓ及び吸収係数μａ以外の物質の光拡散能力及び（又は）光吸収能力を表わす値を計算することは本発明の範囲から逸脱しない。
また、種々の上述の具体的構成例の特徴を互いに組み合わせることが可能である。
本明細書全体を通じ、部材個数に関し、「〜を有する又は含む（ｃｏｍｐｒｉｓｅｓ  ａ）」という用語は、特段の指定がなければ、「〜を少なくとも一つ有する又は含む（ｃｏｍｐｒｉｓｅｓ  ａｔ  ｌｅａｓｔ  ｏｆ  ）」という表現と同義であると解されるべきである。
【図面の簡単な説明】
【００３４】
【図１】本発明の方法の実施形態としての装置の略図である。
【図２】化粧品を塗布した後の皮膚上の後方散乱スポットの像の例を示す図である。
【図３】化粧品を塗布する前の皮膚上の後方散乱スポットの像の一例を示す図である。
【図４】換算拡散係数及び吸収係数を計算するグラフ図である。
【図５】水平に偏光された入射光及び水平又は垂直に偏光された後方散乱光において得られた像相互間の差を取ることによって結果的に得られた像の一例を示す図である。
【図６】本発明の方法の実施形態としての他の装置の略図である。
【符号の説明】
【００３５】
１０  測定装置
２０  入射光ビーム
３１  レーザ
３２  空間フィルタ
３３  鏡
３４  構造体
４０  カメラ
４２  案内
５０  コンピュータ
Ｐ    物質
Ｓ    支持体
【図１】
2004163405.tif 000009
【図２】
2004163405.tif 000010
【図３】
2004163405.tif 000011
【図４】
2004163405.tif 000012
【図５】
2004163405.tif 000013
【図６】
2004163405.tif 000014
【外国語明細書】
2004163405.tif 000015
2004163405.tif 000016
2004163405.tif 000017
2004163405.tif 000018
2004163405.tif 000019
2004163405.tif 000020
2004163405.tif 000021
2004163405.tif 000022
2004163405.tif 000023
2004163405.tif 000024
2004163405.tif 000025
2004163405.tif 000026
2004163405.tif 000027
2004163405.tif 000028
2004163405.tif 000029
2004163405.tif 000030
2004163405.tif 000031
2004163405.tif 000032
2004163405.tif 000033
2004163405.tif 000034
2004163405.tif 000035
2004163405.tif 000036
2004163405.tif 000037
2004163405.tif 000038
2004163405.tif 000039
2004163405.tif 000040